(57)【特許請求の範囲】
【請求項１】
配設する側壁に対する散水ヘッドの前後方向の水平度を検出するため、該散水ヘッドに着脱自在に設けられた軸心延長物と、該配設する側壁に対する該ヘッドの左右方向の水平度を検出するための水平載置部とを備えた、複数のノズルが設けられた散水ヘッドの散水ヘッド取付姿勢角度確認装置であって；
該軸心延長物が、該ヘッドの設計軸心方向と平行又は同一直線上に伸びており、
該水平載置部が、該ヘッドの各ノズルの設計垂直線と直交する平面上に位置していることを特徴とする散水ヘッド姿勢角度確認装置。
【請求項２】
前記軸心延長物が、水平方形板又は水平枝板を備えていることを特徴とする請求項1記載の散水ヘッド姿勢角度確認装置。
【請求項３】
前記軸心延長物が、該ヘッドの軸心を含む水平面上に該軸心を挟むようにして設けられた分離軸心延長物であることを特徴とする請求項1記載の散水ヘッド姿勢角度確認装置。
【発明の詳細な説明】
【０００１】
【発明の属する技術分野】
この発明は、消火設備に用いられる散水ヘッドに関するものであり、更に述べると、散水ヘッド姿勢角度確認装置に関するものである。
【０００２】
【従来の技術】
近年、広い消火領域に均等に散水するため、射程距離の異なる複数のノズルを上下に配設した散水ヘッドが用いられている。このヘッドは、側壁に配設され、その散水範囲は、例えば、幅５ｍ、前方２０ｍ、後方１ｍであり、その散水面積は１０５ｍ2にも及ぶ。
【０００３】
ところが、この散水面積を確実に得るためには、散水ヘッドの取付姿勢が設計通りでなければならない。即ち、該ヘッドが前後方向及び左右方向に水平であり、又、該ヘッドの軸心と側壁との横方向の交差角が設計角、例えば、直角でなければならない。又、散水面積形状よりヘッドの軸心を俯角、仰角に、側壁との横方向の交差角が９０゜以外の設計角度にする事も建物構造に合わせて自在に設計出来なければならない。そこで、散水ヘッド取付姿勢が設計通りになっているか否かを確認する必要がある。
【０００４】
従来、この取付姿勢の確認は、実際に散水ヘッドから放水させることにより行なっており、放水状態が設計通りにならない時には該ヘッドの取付角度を調整している。
【０００５】
【発明が解決しようとする課題】
しかし、この確認方法では、床など濡れると共に、放水状態を確認するために多くの時間と労力が必要となる。そこで、上記問題を解決できる簡単な取付姿勢角度確認方法が要求されている。又、この簡単な確認方法は、取付工事終了後に行なわれる取付放水方向確認検査のためにも要求されている。
【０００６】
この発明は、上記事情に鑑み、散水ヘッドの取付姿勢角度を簡単に測定することができる様にすると共に、設計通りに取付できる様にすることを目的とする。
【０００７】
【課題を解決するための手段】
この発明は、配設する側壁に対する散水ヘッドの前後方向の水平度を検出するため、該散水ヘッドに着脱自在に設けられた軸心延長物と、該配設する側壁に対する該ヘッドの左右方向の水平度を検出するための水平載置部とを備えた、複数のノズルが設けられた散水ヘッドの散水ヘッド取付姿勢角度確認装置であって；  該軸心延長物が、該ヘッドの設計軸心方向と平行又は同一直線上に伸びており、  該水平載置部が、該ヘッドの各ノズルの設計垂直線と直交する平面上に位置していることを特徴とする散水ヘッド姿勢角度確認装置、である。
【０００８】
この発明の前記軸心延長物が、水平方形板又は水平枝板を備えていることを特徴とする。この発明の前記軸心延長物が、該ヘッドの軸心を含む水平面上に該軸心を挟むようにして設けられた分離軸心延長物であることを特徴とする。
【０００９】
この発明の水平検出器は、投光器又はレーザーガンであることを特徴とする。
【００１０】
【発明の実施の形態】
側壁に散水ヘッドを取り付け、該ヘッドに設けた軸心延長物に水平検出器を載置して該ヘッドの前後方向の水平度を検出する。該軸心延長物の軸心は、該ヘッドの軸心と平行に設けられているが、該両軸は必ずしも平行である必要は無く、例えば、同一直線上に位置するようにしても良い。  又、この軸心延長物は着脱自在に設けられるが、必ずしも着脱自在にする必要は無く、散水ヘッドと一体成形しても良い。該水平検出器が水平とならない時には、該ヘッドを上又は下方向に傾けて該水平検出器を水平にする。又、ヘッドの軸心が俯角、仰角に設計されているときは、該俯角、仰角のスペーサーを水平検出器と軸心延長物に挾み、水平検知器が水平となるようにする。
【００１１】
次に、該ヘッドに設けた水平載置部に水平検出器を載置して該ヘッドの左右方向の水平度を検出する。該水平載置部は、各ノズルの設計垂直線と直交する平面上に位置している。ここで、設計垂直線とは、側壁に散水ヘッドが設計通りに取り付けられた場合における各ノズル孔の中心を通る垂直線である。
この水平載置部は、散水ヘッドの接続部に設けられているが、必ずしも接続部に設ける必要は無く、例えば、軸心延長物に設けても良く、又、軸心延長物をヘッド中心水平線上に２本設けても良い。該水平検出器が水平とならない時には、該ヘッドを左又は右方向に傾けて該水平検出器を水平にする。
【００１２】
なお、該水平検出器として水準器の他、投光器やレーザーガンなどが用いられる。この水平検出器は軸心延長物や水平載置部に着脱自在に設けられるが、必ずしも、着脱自在にする必要は無く、それらに固定しても良い。
【００１３】
更に、該側壁と該軸心延長物の側部との間に角度測定器を挿入し、該側壁と該軸心延長物の軸心との交差角を検出する。該交差角が設計値とならない時には、該散水ヘッドを水平方向に回動して該交差角を設計値にする。
この角度測定器としてヘッド軸心と取付側壁との交差角部を設計角度に形成された三角定規が用いられるが、操作し易いように、この定規の前記交差角部を切り欠いても良い。
【００１４】
【実施例】
この発明の第１実施例を図１〜図７により説明する。
垂直状の側壁１には、散水ヘッド２が取り付けられている。該ヘッド２には、上から順に中投用ノズル３、遠投用ノズル４、近投用ノズル５、が配設されている。該中投用ノズル３の軸心３ｃと遠投用ノズル４の軸心４ｃとは平行であり、この遠投用ノズル４は、散水ヘッド２の軸心２ｃに対し角度θ1、例えば、１９度傾斜している。
【００１５】
近投用ノズル５の軸心５ｃは、散水ヘッド２の軸心２ｃに対し角度θ2、例えば、３５度傾斜している。中投用ノズル３は、遠投用ノズル４よりも射程距離が短く、かつ、近投用ノズル５よりもそれが長い扇状ノズルである。
遠投用ノズル４は、中投用ノズル３、近投用ノズル５よりも射程距離が長く、従って、各ノズル中で一番射程距離が長いジェットノズルである。
【００１６】
この散水ヘッド２では、中投用ノズル３の放水流は遠投用ノズル４の放水流に衝突して該遠投用ノズル４の放水流のエネルギを獲得しながら飛散し、又、中投用ノズル３の放水流と遠投用ノズル４の放水流とが衝突し一体となって飛んで行く。
【００１７】
散水ヘッド２の前面中央には軸心２ｃと平行な軸心７ｃを持つ軸心延長物７が螺着されている。この軸心延長物７は直筒円管であり、その先端にはねじ部８が設けられている。この延長物７は必ずしも直筒円管に限られるものではなく、例えば、断面角筒状又は方形状の柱体を用いても良いことは勿論である。
この延長物７の長さＬや直径Ｄは、必要に応じて適宜選択されるが、例えば、長さＬ＝３００ｍｍ、Ｄ＝１５ｍｍ、が選ばれる。
【００１８】
散水ヘッド２の接続部９の上面９ａに水平載置部１０を形成する。この水平載置部１０に水平検出器１２を載置して該ヘッドの左右方向の水平度を検出する。
該水平載置部１０は、各ノズル３、４、５の設計垂直線３Ｔ、４Ｔ、５Ｔと直交する平面上に位置している。ここで、設計垂直線３Ｔ、４Ｔ、５Ｔとは、側壁に散水ヘッド２が設計通りに取り付けられた場合における各ノズル孔の中心を通る垂直線である。
【００１９】
次に、散水ヘッドの取付姿勢角度確認方法について説明する。
先ず、この方法の実施に用いる水平検出器と角度測定器とについて説明する。
水準器１２は、図４に示すように、アルコール又はエーテルを密封した気泡管１３と、小さな１個の気泡１４と、該気泡管１３が取り付けられる基台１５と、気泡の動きを図るための目盛１６と、が設けられている。この水準器１２の長さは必要に応じて選択されるが、例えば、長さ３００ｍｍが採用される。
なお、基台１５の側部に設けられているのは垂直度を測定するための気泡管１８である。
【００２０】
角度測定器２０は、図６に示すように、測定頂部２１が設計角度θ３に形成された三角定規であり、その頂部２１は散水ヘッドや障害物に衝突しないように切り欠かれており、その中央部２２は軽量化及び作業性を考慮し中空に形成されている。この定規２０の頂部２１を挾む二辺は接触辺２３、２４である。この頂部２１の角度θ3は必要に応じて適宜選択されるが、例えば、角度θ3＝９０度、が選ばれる。
なお、この定規２０の底辺部２５の高さＨは必要に応じて適宜選択されるが、例えば、Ｈ＝５００ｍｍが選択される。
【００２１】
側壁２１に取り付けられた散水ヘッド２の軸心延長物７上に長手方向に沿って水準器１２を載置し、散水ヘッド２の前後方向の水平度を検査する。水準器１２が水平とならない時には、該ヘッド２を上又は下方向に傾けて水準器１２が水平となるようにする。散水ヘッドの軸心が水平でなく、俯角、仰角を設計されたときは、軸心延長物に該俯角、仰角のスペーサを軸心延長物と水準器の間に挾み水準器が水平となるようにする。
【００２２】
次に、前記水準器１２を軸心延長物７上から離し、水平載置部１０上に載置し散水ヘッド２の左右方向の水平度を検査する。水準器１２が水平とならない時には該ヘッド２を左又は右方向に傾けて水準器１２を水平にする。
【００２３】
更に、三角定規２０の底辺部２５を掴み、図７に示すように、軸心延長物７の側部と側壁１との間に挿入し、両者１、７の交差角θ3を検査する。該定規２０の接触辺２３、２４が両者１、７に当接しない時には、該ヘッド２を水平方向に回動させて調整し、それらを当接させる。
【００２４】
このようにして該散水ヘッド２の取付姿勢角度を調整することにより、散水ヘッド２は設計通りの放水範囲となる。
【００２５】
この発明の第２実施例を図８により説明するが、この実施例と第１実施例との相違点は、軸心延長物７に載置する水平検出器として、水準器の代わりに投光器２８を用いたことである。投光器２８の光ｘは対向する側壁１ａに向って投射され、該側壁１ａとの衝突点ｐの位置から受光器などにより前後方向の水平度が検査される。この次実施例では、側壁１、１ａ間の距離Ｌ10と、投光器２８の床面Ｆ10からの高さＨ10と、該衝突点ｐの床面Ｆ10からの高さＨ11と、をがそれぞれ測定し、仰角及び俯角を演算する。
なお、投光器の代わりにレーザーガンを用いても良いことは勿論である。この投光器２８を用いると、図示しない制御装置を介して遠隔操作できるので、水準器を用いる場合より測定作業が容易となる。
【００２６】
この発明の第３実施例を図９により説明するが、この実施例と第２実施例との相違点は、水平載置部に載置する水平検出器として、水準器の代わりに投光器３０を用いたことである。投光器３０の光ｙは側壁１ｙに向って投射され、該側壁１ｙとの衝突点ｐｙの位置から受光器などにより左右方向の水平度が検査される。なお、投光器の代わりにレーザーガンを用いても良いことは勿論である。この投光器３０を用いると、図示しない制御装置を介して遠隔操作できるので、水準器を用いる場合より測定作業が容易となる。
【００２７】
この発明の第４実施例を図１０により説明するが、この実施例と第１実施例との相違点は、軸心延長物７が、正四角柱体であり、その上面４１に水平方形板４０が設けられていることである。この正四角柱体の先端部には散水ヘッド２に挿入される接続部４２が設けられている。この方形板４０には前後方向の水平度を検査するための水準器１２と左右方向の水平度を検査するための水準器１２が載置される。該方形板４０の厚さｔ2は正四角柱体の厚さｔ1より薄いが、この厚さｔ1、ｔ2の寸法は必要に応じて適宜選択される。なお、正四角柱体の長さＬ1、水平方形板４０の長さＬ2は必要に応じて適宜選択される。
【００２８】
この発明の第５実施例を図１１により説明するが、この実施例と第１実施例との相違点は、軸心延長物７を四角柱体に形成し、該柱体の軸心７ｃと直交する方向に水平枝板５０を設け、該延長物７の全体の形状を十字状に形成したことである。該正四角柱体の先端部には散水ヘッド２に挿入される接続部５１が設けられている。この水平枝板５０は前記散水ヘッドの接続部９に設けた水平載置部１０に相当するものである。該四角柱体の厚さｔ5は水平枝板５０の厚さｔ5より厚く形成されているが、この厚さｔ5、ｔ6の寸法は必要に応じて適宜選択される。
なお、四角柱体の上面５１と水平枝板部５０の上面５２は同一水平面状に位置している。
【００２９】
この発明の第６実施例を図１２により説明するが、この実施例と第１実施例との相違点は、前記軸心延長物が、該ヘッド２の軸心２Ｃを含む水平面上に該軸心２Ｃを挾むようにして設けられた２本の分離軸心延長物６０であることである。この延長物６０は互いに同径であるが、必ずしもその必要はなく、異径であってもよい。また、該分離軸心延長物６０は、必ずしもヘッド２の軸心３Ｃを含む水平面上に位置する必要はなく、例えば、該水平面と平行な他の水平面上に間隔をあけて互いに平行に配設しても良い。この同一外径の２本の延長物６０は前記散水ヘッドの接続部９に設けた水平載置部１０に相当するものであり、この２本の軸心延長物６０の上面、或いは下面に水準器１２が載置される。該ヘッドの前後方向の水平度は、２本の延長物６０のいずれかに載置されれば良い。
【００３０】
【発明の効果】
この発明は、以上のように散水ヘッドに軸心延長物と水平載置部とを設けたので、水平検出器によりこれらの水平度を検出するとともに、該散水ヘッドを変位させてこれらが水平度になるように調整することができる。
また、角度測定器により軸心延長物と側壁との交差角を検出するとともに、該散水ヘッドを変位させて該交差角が設計交差角度になるように調整することができる。従って、取付姿勢角度を簡単に検査することができると共に、従来例と異なり、散水ヘッドの放水実験をしなくても設計通りの取付姿勢角度で該散水ヘッドを側壁に取り付けることができる。
【図面の簡単な説明】
【図１】本発明の第１実施例の一部断面側面拡大図である。
【図２】本発明の第１実施例の平面拡大図である。
【図３】本発明の第１実施例の正面拡大図である。
【図４】水準器の斜視図である。
【図５】軸心延長物の斜視図である。
【図６】三角定規の斜視図である。
【図７】側壁と軸心延長物との交差角の測定状態を示す平面図である。
【図８】本発明の第２実施例を示す側面図である。
【図９】本発明の第３実施例を示す平面図である。
【図１０】本発明の第４実施例を示す斜視図である。
【図１１】本発明の第５実施例を示す斜視図である。
【図１２】本発明の第６実施例を示す斜視図である。
【符号の説明】
１    側壁
２    散水ヘッド
７    軸心延長物
１０    水平載置部
１２    水準器
２０    三角定規
【図１】
0003882092.tif 000002
【図２】
0003882092.tif 000003
【図３】
0003882092.tif 000004
【図４】
0003882092.tif 000005
【図５】
0003882092.tif 000006
【図６】
0003882092.tif 000007
【図７】
0003882092.tif 000008
【図８】
0003882092.tif 000009
【図９】
0003882092.tif 000010
【図１０】
0003882092.tif 000011
【図１１】
0003882092.tif 000012
【図１２】
0003882092.tif 000013